(57)【要約】      （修正有）【課題】加熱器と触媒変換器を結合させ、起動後に電熱式の触媒基材が加熱され即時に化学反応作用温度へ達し、浄化される空気の温度の如何を問わず、すぐに空気浄化を行うことができる、自己加熱式触媒変換器の提供。【解決手段】触媒基材、絶縁支持体、保温熱阻隔体と導線を含み、該触媒基材はそれ自体が加熱可能な部材を基材とし、該基材上に触媒と促進剤を塗布して覆い、電熱式触媒基材を形成し、該絶縁支持体は支持フレームと穿通孔を備え、該導線を該穿通孔に穿通して設置し、該穿通孔から外方向へ該触媒基材を隔てる複数の層板を設け、該保温熱阻隔体は筒状を呈し、該触媒基材と絶縁支持板を収納しこれら部材の外部周囲に設置され、該導線は該触媒基材と電源間を接続し、電源が入ると同時に該導線が電熱式の該触媒基材を導通し、迅速に直接化学反応作用温度まで加熱することを特徴とする。【選択図】図２
0003110301.tif 000002
【実用新案登録請求の範囲】
【請求項１】
主に触媒基材と、絶縁支持体と、保温熱阻隔体と導線を含んで構成され、そのうち、該触媒基材はそれ自体が加熱可能な部材を基材とし、該基材上に触媒と促進剤を塗布して覆い、電熱式触媒基材を形成したものであり、該絶縁支持体は支持フレームを備え、該支持フレームの中心位置に穿通孔を設け、該導線を該穿通孔に穿通して設置し、該穿通孔から外方向へ延伸して複数の層板を設け、該層板が一定数量の触媒基材を隔てると共に、該保温熱阻隔体は筒状を呈し、該触媒基材と絶縁支持板の外部周囲に設置され、触媒基材と絶縁支持板をその内部に収納して固定され、該導線は該触媒基材と電源間を接続し、電源が入ると同時に該導線が電熱式の該触媒基材を導通し、迅速に直接化学反応作用温度まで加熱することを特徴とする自己加熱式触媒変換器。
【請求項２】
主に触媒基材と、加熱コイルと、絶縁支持体と、保温熱阻隔体と導線を含んで構成され、そのうち、該触媒基材は触媒と促進剤を塗布した基材であり、巻きつけ可能な片状体とし、該絶縁支持体の支持フレーム中心から外方向へ巻きつけられ、該加熱コイルは該触媒基材の上端を覆い、触媒基材と共に支持フレーム中心から外方向へ巻きつけられ、該絶縁支持体は支持フレームと巻板を備え、該巻板は該触媒基材及び加熱コイルを覆い包むように設置され、支持フレーム中心から外方向へ巻きつけられ、該保温熱阻隔体は筒状を呈し、該触媒基材、加熱コイル及び絶縁支持体をその内部に収納し、且つ、該絶縁支持体の高さは触媒基材と加熱コイル二者の和よりやや高く、該導線は加熱コイルと電源にそれぞれ接続され、電源が入ると同時に該導線が加熱コイルを導通し迅速に加熱させ、間接的に触媒基材を即時に化学反応作用温度まで加熱することを特徴とする自己加熱式触媒変換器。
【考案の詳細な説明】
【技術分野】
【０００１】
本考案は自己加熱式触媒変換器に関し、詳細には、主にそのもの自体が加熱して化学反応作用温度に達し、予熱時間を短縮して流動空気を即時浄化できる、自己加熱式触媒変換器に関する。
【背景技術】
【０００２】
一般的に空気浄化設備は、その排気装置に触媒変換器を設け、COやHC等の燃焼後の廃気を変換器中の触媒に接触させ、化学反応を触発し汚染が比較的低いまたは無害のCO2、H2O等の気体としてから大気中に排出し、浄化効果を得ている。しかしながら、従来の触媒変換器(図１参照)はそのほとんどが触媒基材１及び保温熱阻隔体２からのみ構成され、起動後浄化する空気を加熱し、化学反応作用温度に達するのを待ってからでなければ空気の浄化を行うことができず、直接冷たい空気に対して浄化を行うことはできないため、例えば自動車の排ガスや室内の汚濁空気等、短時間内で排出される廃気の空気汚染源を低くする必要がある場合においても、触媒がまだ臨界温度に達していない時間が存在してしまい、即ち、予熱時間内においては空気の浄化を行うことができないため、汚染空気がそのまま形成されてしまう。このため、従来の触媒変換器は空気浄化の効果において必要を満足させるにはまだ至っていない。
【考案の開示】
【考案が解決しようとする課題】
【０００３】
本考案の目的は、自動車や空気清浄機、ドライヤー、ヒーター、その他空気浄化設備等に利用することができる触媒変換器であって、加熱器と触媒変換器を結合させて電熱式の触媒変換器を形成し、起動後に電熱式の触媒基材が直接または間接的に加熱され即時に化学反応作用温度へ達し、浄化される空気の温度の如何を問わず、いつでもすぐに空気浄化を行うことができる、自己加熱式触媒変換器を提供することにある。
【課題を解決するための手段】
【０００４】
本考案の自己加熱式触媒変換器は、自動車や空気清浄機、ドライヤー、ヒーター、その他空気浄化設備等に利用することができる触媒変換器であって、主に触媒基材、絶縁支持体、保温熱阻隔体及び導線等を含んで構成され、そのうち、該触媒基材はそれ自体が加熱可能な部材を基材とし、該基材上に触媒と促進剤を塗布して覆い、電熱式触媒基材を形成する。該絶縁支持体は層板を設けて一定数量の触媒基材を隔てると共に該触媒基材の固定と支持に用いられ、一定の流動空間を留めて該触媒基材の重なりや貼り付きを防ぐだけでなく、排出する必要のある有害気体を確実に触媒基材を通過させ、化学反応を起こさせる。該保温熱阻隔体は、該触媒基材と絶縁支持体の外部に設置され、該触媒基材と絶縁支持体を覆い包み、該触媒基材の温度を保持すると共に外部熱の阻隔と保護に用いる。該導線は該触媒基材と電源に接続され、電源が入ると同時に、導線の導通により電熱式触媒基材が迅速に加熱され、廃気中の有害気体が発生するとき、電熱式触媒基材がすでに直接加熱されて作用の発生を開始し、廃気中のCOやHC、Nox等の有害気体に対し即時に化学反応を促し、無害のCO2やH2O、N2に変換して大気中に排出し、浄化の効果を得ることを特徴とする。
【０００５】
さらに、本考案の自己加熱式触媒変換器は、主に触媒基材、加熱コイル、絶縁支持体、保温熱阻隔体及び導線等を含んで構成してもよく、そのうち、該触媒基材は一般的な触媒と促進剤を塗布した基材とし、該加熱コイルは該触媒基材の上端に巻きつけられ、該絶縁支持体は巻板を該触媒基材及び加熱コイルに巻いて仕切りを形成し、同時に該触媒基材及び加熱コイルを固定・支持し、該触媒基材に有害気体を通過させて化学反応を起こさせ、該保温熱阻隔体は該触媒基材と絶縁支持体の外部に設置され、該触媒基材と加熱コイル、絶縁支持体を覆い、該触媒基材に一定の温度を保持させると共に外部の熱を阻隔して保護し、該導線は加熱コイルと電源にそれぞれ接続され、電源が入ると同時に、導線が加熱コイルを導通させて迅速に加温を行わせ、該触媒基材がすぐに加熱されて化学反応作用温度に達し、これにより、廃気中の有害気体が発生するとき、該触媒基材はすでに間接的に加熱され作用発生を開始し、すぐに有害気体に対し化学反応作用を進行し、浄化の効果を得ることができることを特徴とする。
【考案を実施するための最良の形態】
【０００６】
本考案の自己加熱式触媒変換器の構造及び実施方法について、以下、具体的な実施例と図面に基づき詳細に説明する。
【実施例１】
【０００７】
図２及び図３に本考案の実施例１の立体図及び平面図をそれぞれ示す。本考案は主に触媒基材１０、絶縁支持体２０、保温熱阻隔体３０及び導線４０等を含んで構成され、そのうち、該触媒基材１０は、それ自体が加熱可能な部材を基材として利用し、該基材上に触媒及び促進剤を塗布して覆い、電熱式触媒基材１０を形成する。該触媒基材１０は巻きつけ可能な片状体とし、この片状体の巻きつけにおいて多数の気体が流動可能な気流通路１１を形成する。
【０００８】
該絶縁支持体２０は支持フレーム２１を備え、該支持フレーム２１の中心に穿通孔２１１を設け、該穿通孔２１１は前記導線４０を穿通して設置することができ、該穿通孔２１１から外方向に複数の層板２２を延伸して設け、該層板２２により該触媒基材１０を固定及び支持し、一定数量の触媒基材１０を隔て、重なりや貼り付きが形成されないようにする。この多層設計により、気体の流動性をより高くすると共に接触面積を増加し、排出する必要がある有害気体をすべて確実に通過させて充分に触媒基材１０に接触させ、化学反応を起こさせることができ、最良の空気浄化効果を得ることができる。
【０００９】
該保温熱阻隔体３０は筒状を呈し、該触媒基材１０と絶縁支持板２０の外部に設置され、該触媒基材１０と絶縁支持板２０を覆い包み、該触媒基材１０の温度を保持するとともに、外部熱の阻隔及び保護に用いる。
【００１０】
該導線４０は該触媒基材１０と電源間を接続し、電源が入ると同時に、導線４０の導通により、電熱式触媒基材１０が迅速に導電され、直接加熱され昇温する。
【００１１】
エンジンまたは機器の運転が開始された後、発生する廃気中の有害気体が排出されるとき、該電熱式の触媒基材１０がすでに作用を開始しており、廃気中のCOやHC、Nox等の有害気体に対し化学反応を起こし、無害のCO2やH2O、N2に変換した後大気中に排出し、浄化の効果が得られる。
【実施例２】
【００１２】
さらに、図４及び図５に本考案の実施例２の立体図及び平面断面図をそれぞれ示す。主に触媒基材１０、絶縁支持体２０、保温熱阻隔体３０、導線４０及び加熱コイル５０等を含んで構成され、そのうち、該触媒基材１０は可利用一般的な触媒と促進剤を備えた基材とし、その上層を覆うように加熱コイル５０が設置され、該加熱コイル５０は、該触媒基材１０の上端に巻きつけて設置され、迅速に熱を該触媒基材１０に伝導する。
【００１３】
該絶縁支持体２０は支持フレーム２１と巻板２３を備え、該巻板２３は一定数量の触媒基材１０及び加熱コイル５０を隔てて覆い包み、且つ、該巻板２３の高さは該触媒基材１０及び加熱コイル５０の高さの和よりやや高く、これにより固定及び支持の用途のほか、該触媒基材１０の重なりや貼り付きが形成されるのを防ぎ、且つ、接触面積が増加され、有害気体が充分に流動し、触媒基材１０と接触して化学反応が行われる。
【００１４】
該保温熱阻隔体３０は筒状を呈し、該触媒基材１０、加熱コイル５０及び絶縁支持板２０をその内部に収納してこれら部材の外部に設置され、該触媒基材１０を一定の温度に保持すると共に、外部熱の阻隔及び保護に用いる。
【００１５】
該導線４０は該加熱コイル５０と電源にそれぞれ接続され、電源が入ると同時に、導線４０が加熱コイル５０を導通し迅速に加熱を行わせ、同時に該触媒基材１０が即時に熱を吸収して化学反応作用温度まで加熱されるため、廃気中の有害気体が発生するとき、該触媒基材１０はすでに間接的に作用の発生開始まで加熱されており、即時に有害気体に対して化学反応を起こし、浄化の効果が得られる。
【００１６】
本考案における複数の層板と電熱式触媒基材の設計は利便性が高く、各種寸法の触媒変換器に適用することができ、且つ、電源をオフにした後も一定の作用温度が保たれるため、最後に発生する廃気に対しても逃すことなく作用する。
【００１７】
上述のように、本考案の自己加熱式触媒変換器は、新規的で実用的な新型構造であり、合理的で完全な新規創作であるため、現行の実用新案法に定める各項出願要件を満たしており、ここに実用新案登録を出願するものである。
【図面の簡単な説明】
【００１８】
【図１】従来の触媒変換器の立体図である。
【図２】本考案の実施例１の立体図である。
【図３】図２の平面断面図である。
【図４】本考案の実施例２の立体図である。
【図５】図４の平面断面図である。
【符号の説明】
【００１９】
１        触媒基材
２        保温熱阻隔体
１０      触媒基材
１１      気流通路
２０      絶縁支持体
２１      支持フレーム 
２１１    穿孔
２２      層板
２３      巻板
３０      保温熱阻隔体
４０      導線
５０      加熱コイル
【図１】
0003110301.tif 000003
【図２】
0003110301.tif 000004
【図３】
0003110301.tif 000005
【図４】
0003110301.tif 000006
【図５】
0003110301.tif 000007